(57)【要約】【課題】おでん等の商品の販売業務を円滑化して店員の業務負担を軽減するとともに、この種の商品の会計を正確に行えるようにすること。【解決手段】商品販売データ処理装置に、計量器３が計量する載置面３ａに載置される商品の重量の増加を検知させる。このとき、載置面３ａに１つ目の商品が載置されてから全ての商品が取り除かれるまでに重量の増加が検知された回数をカウントさせる。そして、載置面３ａに載置された商品の会計時には、カウント結果であるカウント値を店員用表示器１０に表示させる。【選択図】    図１
2011186687.tif 000002
【特許請求の範囲】
【請求項１】
表示部と、
所定の載置面に載置される商品の重量を計量するための計量部から出力される計量結果を入力する入力手段と、
前記入力手段を介して入力される計量結果である重量の増加を検知する検知手段と、
前記載置面に１つ目の商品が載置されてから全ての商品が取り除かれるまでに前記検知手段によって前記重量の増加が検知された回数をカウントするカウント手段と、
前記載置面に載置された商品の会計時に、前記カウント手段によるカウント結果を前記表示部に表示する表示制御手段と、
を備えていることを特徴とする商品販売データ処理装置。
【請求項２】
販売される商品の指定を受け付ける指定受付手段と、
前記指定受付手段によって指定を受け付けた商品を売上登録する売上登録手段と、
前記売上登録手段によって前記載置面に載置された商品のうちの１つが売上登録される毎に、前記表示制御手段によって前記表示部に表示されたカウント結果である回数をカウントダウンするカウントダウン手段と、
をさらに備えていることを特徴とする請求項１に記載の商品販売データ処理装置。
【請求項３】
売上登録の終了を宣言する宣言手段と、
前記宣言手段によって売上登録の終了が宣言されたとき、前記カウントダウン手段によってカウントダウンされた後の回数が零である場合に売上登録を終了する登録終了手段と、
をさらに備えていることを特徴とする請求項２に記載の商品販売データ処理装置。
【請求項４】
前記宣言手段によって売上登録の終了が宣言されたとき、前記カウントダウン手段によってカウントダウンされた後の回数が零でない場合に警告を発する警告手段をさらに備えていることを特徴とする請求項３に記載の商品販売データ処理装置。
【請求項５】
前記カウントダウン手段によってカウントダウンされた後の回数が負数になったことに応じて警告を発する負数警告手段をさらに備えていることを特徴とする請求項３又は４に記載の商品販売データ処理装置。
【請求項６】
前記宣言手段によって売上登録の終了が宣言されたときに前記カウントダウン手段によってカウントダウンされた後の回数が零でない場合、前記表示部に前記カウント手段によるカウント結果を再表示するとともに、前記載置面に載置された商品の再指定を受け付ける再指定受付手段と、
前記再指定受付手段によって商品の再指定が受け付けられる毎に前記表示部に再表示されたカウント結果である回数をカウントダウンする再カウントダウン手段と、
前記再指定受付手段による商品の再指定の終了を宣言する指定終了宣言手段と、
をさらに備え、
前記登録終了手段は、前記指定終了宣言手段によって商品の再指定の終了が宣言されたとき、前記再カウントダウン手段によってカウントダウンされた後の回数と、前記カウントダウン手段によってカウントダウンされた後の回数とが一致する場合、売上登録を終了することを特徴とする請求項３乃至５のうちいずれか１に記載の商品販売データ処理装置。
【発明の詳細な説明】
【技術分野】
【０００１】
本発明は、商品販売店舗や役務提供店舗にて会計業務に使用される商品販売データ処理装置に関する。
【背景技術】
【０００２】
従来、ＰＯＳ（Point Of Sales）端末やＥＣＲ（Electronic Cash Register）等の商品販売データ処理装置が商品販売店舗や役務提供店舗における会計業務に使用されている。
【０００３】
また、近年のコンビニエンスストアでは複数の具材からなるおでんを販売する店舗が多く見受けられる。これらの店舗では、例えば店舗内におでん用の什器と容器を設置し、顧客自身がセルフで所望の具材を容器に移してレジに運び、店員が商品販売データ処理装置を操作して容器内の具材を売上登録するとの運用が一般的である。商品販売データ処理装置におでんの具材を売上登録する方法としては、例えば商品販売データ処理装置のタッチパネル付き表示器に具材を指定するための操作ボタンを表示させ、該ボタンのタッチ操作によって指定される具材を売上登録させる方法が知られている。（例えば特許文献１を参照）
【発明の概要】
【発明が解決しようとする課題】
【０００４】
前記したようにディスプレイに表示された操作ボタンをタッチ操作しておでんの具材を売上登録する場合、店員は、レジに運ばれた容器の中身を確認しながら前記ボタンを操作することになる。そうすると、売上登録済みの具材とそうでない具材との区別がつかなくなり、同一の具材について複数回にわたり売上登録してしまったり、売上登録し忘れてしまったりする場合がある。また、容器内に多くの具材が重なるようにして詰められている場合には、容器の下方に入れられた具材を見落とす虞がある。
【０００５】
これらを回避すべく、店員がおでんを注文する顧客の指示にしたがって容器に具材を入れたり、顧客が容器に具材を入れる様子を確認したりする運用を採用することも考え得る。しかしこの場合には店員の業務負担が大きくなるし、混雑時にはレジに進んだ顧客を長時間待たせてしまいかねない。
【０００６】
このような問題は、おでんを販売する店舗でのみ生じるものではなく、顧客がセルフで容器に商品を詰めてレジに運び、店員が売上登録するとの運用を採るあらゆる店舗においても同様に生じ得るものである。
【０００７】
本発明は、上記のような事情に基づいてなされたものであり、その目的は、おでん等の商品の販売業務を円滑化して店員の業務負担を軽減するとともに、この種の商品の会計を正確に行えるようにすることである。
【課題を解決するための手段】
【０００８】
本発明の一態様における商品販売データ処理装置は、表示部と、所定の載置面に載置される商品の重量を計量するための計量部から出力される計量結果を入力する入力手段と、前記入力手段を介して入力される計量結果である重量の増加を検知する検知手段と、前記載置面に１つ目の商品が載置されてから全ての商品が取り除かれるまでに前記検知手段によって前記重量の増加が検知された回数をカウントするカウント手段と、前記載置面に載置された商品の会計時に、前記カウント手段によるカウント結果を前記表示部に表示する表示制御手段と、を備えている。
【発明の効果】
【０００９】
上記のような手段を講じた本発明によれば、おでん等の商品の販売業務を円滑化して店員の業務負担を軽減するとともに、この種の商品の会計を正確に行えるようにすることができる。
【図面の簡単な説明】
【００１０】
【図１】一実施形態における商品販売データ処理装置の外観を示す模式図。
【図２】同商品販売データ処理装置の制御回路を示すブロック図。
【図３】同商品販売データ処理装置が有するカウント値ファイルのデータ構造を示す模式図。
【図４】同商品販売データ処理装置のＣＰＵがカウント処理にて実行する処理のフローチャート。
【図５】同商品販売データ処理装置のＣＰＵが売上登録処理にて実行する処理のフローチャート。
【図６】同商品販売データ処理装置の店員用表示器に表示される選択画面の一例を示す模式図。
【図７】同商品販売データ処理装置のＣＰＵが確認処理にて実行する処理のフローチャート。
【図８】同商品販売データ処理装置の店員用表示器に表示される確認画面の一例を示す模式図。
【発明を実施するための形態】
【００１１】
以下、本発明の一実施形態について、図面を参照しながら説明する。  
なお、本実施形態は、コンビニエンスストア等のおでんを販売する店舗において使用される商品販売データ処理装置に本発明を適用した一例である。
【００１２】
［商品販売データ処理装置の外観・構成］
図１は、本実施形態における商品販売データ処理装置１の外観を示す模式図である。商品販売データ処理装置１の本体には、店員の立ち位置に表示画面が向けられたタッチパネル付きの店員用表示器１０（表示部）と、顧客の立ち位置側に表示画面が向けられた図示せぬ客用表示器１１と、置数キー等の多数の操作キーを配設してなるキーボード１２と、クレジットカード等の磁気カードをスライドするためのスライド溝１３と、レシートが発行されるレシート発行口１４とが設けられている。また、商品販売データ処理装置１の本体には、バーコードを光学的に読み取るバーコードスキャナ２と、載置面３ａに載置された物品の重量を計量する計量器３（計量部）とが通信接続されている。キーボード１２に配設された操作キーには、一会計における売上登録の終了を宣言するための締めキー１２ａ（宣言手段）と、おでんの具材である商品の売上登録を宣言するためのおでんキー１２ｂとが含まれている。
【００１３】
当該店舗内の所定位置には、複数区画に区分された収納部に入れられたおでんの具材を加熱・保温するおでん什器４が設置されている。計量器３は、このおでん什器４に隣り合わせて設置されている。顧客がおでんを購入する際には、おでん什器４の近傍に積み重ねられたおでん用の容器５を手に取り、計量器３の載置面３ａに載置する。そしておでん什器４内から所望の具材を選んで載置面３ａに載置された容器５に移し変えていく。顧客は、容器５に具材を入れ終えたならば、該容器５を持って商品販売データ処理装置１が設置されたレジカウンタに移動し、容器５に入れた具材の会計を受ける。
【００１４】
図２は、商品販売データ処理装置１の制御回路を示すブロック図である。商品販売データ処理装置には、制御の中枢として機能するＣＰＵ（Central Processing Unit）２０が搭載されている。そしてこのＣＰＵ２０に対して、ＲＯＭ（Read Only Memory）２１、ＲＡＭ（Random Access Memory）２２、通信Ｉ／Ｆ（Interface）２３、スキャナＩ／Ｆ２４、入力ポート２５（入力手段）、表示コントローラ２６、入力コントローラ２７、カードリーダコントローラ２８、およびプリンタコントローラ２９等が、アドレスバスやデータバス等のバスライン３０を介して接続されている。
【００１５】
さらに、通信Ｉ／Ｆ２３にＬＡＮ（Local Area Network）回線３１が接続され、スキャナＩ／Ｆ２４に前記バーコードスキャナ２が接続され、入力ポート２５に前記計量器３が接続され、表示コントローラ２６に前記店員用表示器１０と前記客用表示器１１とが接続され、入力コントローラ２７にタッチパネル３２と前記キーボード１２とが接続され、カードリーダコントローラ２８にカードリーダ３３が接続され、プリンタコントローラ２９にレシートプリンタ３４が接続されている。
【００１６】
ＲＯＭ２１は、商品販売データ処理装置１の動作プログラム等の固定的データを記憶している。  
ＲＡＭ２２は、カウント値ファイル２２ａや商品データ登録エリア２２ｂ等の作業用記憶エリアを形成する。カウント値ファイル２２ａは、例えば図３に示すようなデータ構造を有している。図示したように、カウント値ファイル２２ａは、後述するカウント処理において計量器３からの出力に応じてカウントされるカウント値を記述するための複数の記憶エリアを備えている。各記憶エリアには、「１」から昇順にナンバ（Ｎｏ.）が付されている。商品データ登録エリア２２ｂには、後述する売上登録処理において商品販売データ処理装置１に入力される商品データが登録される。  
通信Ｉ／Ｆ２３は、ＬＡＮ回線３１を介して接続されたストアサーバ等の上位機器との通信を制御する。スキャナＩ／Ｆ２４は、バーコードスキャナ２が読み取ったバーコードデータを取り込んでＣＰＵ２０に通知する。入力ポート２５は、計量器３から出力される計量結果である重量を取り込んでＣＰＵ２０に通知する。
【００１７】
表示コントローラ２６は、ＣＰＵ２０からの指令に応じて店員用表示器１０および客用表示器１１の画面表示を制御する。タッチパネル３２は、店員用表示器１０の表示画面上に設けられており、指やタッチペンにてタッチされた位置に応じた信号を出力する。
【００１８】
入力コントローラ２７は、タッチパネル３２から出力される信号を取り込んでタッチ位置座標を算出し、ＣＰＵ２０に通知する。また、入力コントローラ２７は、キーボード１２が押下げられた操作キーに応じて出力するキー信号を取り込んでＣＰＵ２０に通知する。
【００１９】
カードリーダ３３は、スライド溝１３にスライドされたカードの磁気ストライプからカード情報を読み取る磁気カードリーダである。カードリーダコントローラ２８は、カードリーダ３３による磁気カードの読み取りタイミングを制御し、カードリーダ３３が読み取ったカード情報をＣＰＵ２０に通知する。  
レシートプリンタ３４は、感熱紙等の印字媒体に文字や図形等の印字パターンを形成する、いわゆるサーマルプリンタである。プリンタコントローラ２９は、レシートプリンタ９を駆動して取引の明細情報を有するレシートを印字させ、レシート発行口１４から発行させる。
【００２０】
次に、おでんの販売に関する商品販売データ処理装置１の動作について説明する。  
［カウント処理］  
先ず、顧客が容器５を計量器３の載置面３ａに載置して購入するおでんの具材を選定する際に実行されるカウント処理について説明する。この処理は、容器５が載置面３ａに載置されたことにより計量器３から出力される重量が変化したことに応じて、ＣＰＵ２０がＲＯＭ２１に記憶された動作プログラムを実行することで実現される。
【００２１】
図４は、カウント処理にてＣＰＵ２０が実行する処理のフローチャートである。先ず、ＣＰＵ２０は、ＲＡＭ２２にカウンタＡを生成し、その値を「０」に初期化する（ステップＳ１０１）。その後、ＣＰＵ２０は、入力ポート２５から通知される計量器３の計量結果である重量を監視しつつ（ステップＳ１０２）、該重量の変化を待ち受ける（ステップＳ１０３）。ただしステップＳ１０３の処理においてＣＰＵ２０は、最軽量のおでんの具材の重量程度の増減が生じない限り、重量が変化したと判定しない。
【００２２】
計量器３の計量結果に変化が生じたと判定したとき（ステップＳ１０３のＹｅｓ）、ＣＰＵ２０は、当該変化が重量の増加または減少のいずれであるかを判定する（ステップＳ１０４）。顧客が容器５に具材を追加した場合には、計量器３の計量結果である重量が増加する。かかる場合、ＣＰＵ２０は、当該変化が重量の増加であると判定し（ステップＳ１０４の「増加」）、カウンタＡの値を１つインクリメントする（ステップＳ１０５：カウント手段）。その後、ＣＰＵ２０は、ステップＳ１０２の処理に戻って再び計量器３の計量結果である重量を監視する。なお、ＣＰＵ２０が実行するステップＳ１０２〜Ｓ１０４の処理は、計量器３の計量結果である重量の増加を検知する検知手段を構成する。
【００２３】
一方、顧客が一旦容器５に移した具材をおでん什器４に戻したり、容器５が計量器３から取り除かれたりした場合には、計量器３の計量結果である重量が減少する。かかる場合、ＣＰＵ２０は、当該変化が重量の減少であると判定し（ステップＳ１０４の「減少」）、重量が零になったか否かを判定する（ステップＳ１０６）。
【００２４】
重量が零になっていない場合（ステップＳ１０６のＮｏ）、ＣＰＵ２０は、カウンタＡの値を１つデクリメントする（ステップＳ１０７）。その後、ＣＰＵ２０は、ステップＳ１０２の処理に戻って再び計量器３の計量結果である重量を監視する。一方、顧客が具材を取り終え、レジに進むべく容器５を計量器３から取り除いた場合には、計量器３の計量結果である重量が零になる（ステップＳ１０６のＹｅｓ）。かかる場合、ＣＰＵ２０は、カウンタＡの値をカウント値ファイル２２ａに記述して（ステップＳ１０８）、カウント処理を終了する。
【００２５】
なお、カウント値ファイル２２ａには、ナンバの小さいエリア順にカウント値が記述されていく。すなわち、カウント値ファイル２２ａに一つもカウント値が記述されていないならば、ステップＳ１０８の処理において「１」のナンバが付されたエリアにカウンタＡの値が記述され、カウント値が記述されているならば、カウント値が記述されていないエリアの中で最も低いナンバが付されたエリアにカウンタＡの値が記述される。
【００２６】
［売上登録処理］  
次に、顧客が購入しようとする商品を売上登録する売上登録処理について説明する。この処理は、商品販売データ処理装置１を操作する店員がキーボード１２を操作して売上登録の開始を宣言したことに応じて、ＣＰＵ２０がＲＯＭ２１に記憶された動作プログラムを実行することで実現される。
【００２７】
図５は、売上登録処理にてＣＰＵ２０が実行する処理のフローチャートである。先ず、ＣＰＵ２０は、店員用表示器１０に売上登録用の画面を表示し、キーボード１２やタッチパネル３２の操作、およびバーコードスキャナ２からのバーコードデータの入力を待ち受ける（ステップＳ２０１）。前記売上登録用の画面には、売上登録済みの商品に関する情報を表示する領域等が含まれている。
【００２８】
前記売上登録用の画面が店員用表示器１０に表示された状態で何らかの操作入力がなされると（ステップＳ２０１のＹｅｓ）、ＣＰＵ２０は、当該操作入力が締めキー１２ａの操作、おでんキー１２ｂの操作、あるいはこれら以外の他の操作入力のいずれであるかを判定する（ステップＳ２０２）。締めキー１２ａの操作またはおでんキー１２ｂの操作以外の他の操作入力が行われた場合（ステップＳ２０２の「その他」）、ＣＰＵ２０は、当該操作入力に応じた処理を実行する。例えば、バーコードスキャナ２が商品に付されたバーコードを読み取ったために、スキャナＩ／Ｆ２４を介してバーコードデータが入力された場合には、当該バーコードデータで示される商品を売上登録する。具体的には、当該バーコードデータに基づいて図示せぬＰＬＵファイルを検索し、発見した商品データを商品データ登録エリア２２ｂに登録する。その際にキーボード１２あるいはタッチパネル３２の操作によって商品の数量が指定された場合には、入力された数量を商品データとともに商品データ登録エリア２２ｂに登録する。
【００２９】
一方、おでんキー１２ｂが操作された場合（ステップＳ２０２の「おでんキー操作」）、ＣＰＵ２０は、この操作が当該売上登録処理における第1回目のおでんキー１２ｂの操作であるか否かを判定する（ステップＳ２０３）。当該操作が第1回目のおでんキー１２ｂの操作である場合（ステップＳ２０３のＹｅｓ）、ＣＰＵ２０は、ＲＡＭ２２にカウンタＢを生成し、このカウンタＢにカウント値ファイル２２ａの最も小さいナンバが付されたエリアに記述されたカウント値をセットする（ステップＳ２０４）。
【００３０】
ステップＳ２０４の処理の後、あるいはおでんキー１２ｂの操作が当該売上登録処理において第１回目の操作でない場合（ステップＳ２０３のＮｏ）、ＣＰＵ２０は、店員用表示器１０にカウンタＢの値を表示するための画面を表示する（ステップＳ２０５：表示制御手段）。具体的には、図６に示した選択画面１００を店員用表示器１０に表示する。この選択画面１００は、おでんの具材である商品Ｇ１〜Ｇ１８の選択ボタンを表した選択エリア１０１と、例えば「３」のようにカウンタＢの値を表すためのカウントエリア１０２と、選択画面１００を閉じるための終了ボタン１０３とを有している。選択エリア１０１に表示された各選択ボタンや終了ボタン１０３は、タッチパネル３２を介してタッチ操作されるＧＵＩ部品である。
【００３１】
このような選択画面１００を表示した状態で、ＣＰＵ２０は、選択エリア１０１のタッチ操作による具材の指定、および終了ボタン１０３のタッチ操作を受け付ける（ステップＳ２０６）。  
なお、ＣＰＵ２０がステップＳ２０６の処理において具材の指定を受け付ける処理、およびステップＳ２０１の処理においてバーコードスキャナ２からのバーコードデータの入力を受け付ける処理は、販売される商品の指定を受け付ける指定受付手段を構成する。
【００３２】
店員が選択エリア１０１に配列された選択ボタンまたは終了ボタン１０３をタッチ操作すると、入力コントローラ２７からＣＰＵ２０にタッチ位置座標が通知される。この通知を受けたとき、ＣＰＵ２０は、選択エリア１０１または終了ボタン１０３がタッチ操作されたと判定し（ステップＳ２０６のＹｅｓ）、通知されたタッチ位置座標に基づいて当該操作の内容を判定する（ステップＳ２０７）。
【００３３】
選択画面１００が表示された当初において、店員は、顧客がレジに運んだ容器５に入れられた具材に対応する選択ボタンをタッチ操作していく。このように操作内容が選択エリア１０１に配列された選択ボタンのタッチ操作による具材の指定である場合（ステップＳ２０７の「具材の指定」）、ＣＰＵ２０は、当該操作にて指定された具材を売上登録する（ステップＳ２０８）。具体的には、当該操作にて指定された具材の商品データを前記ＰＬＵファイルから取得し、商品データ登録エリア２２ｂに登録する。  
なお、ＣＰＵ２０が実行するステップＳ２０８の処理、およびステップＳ２０１の処理においてバーコードデータの入力を受け付けた際に当該データで示される商品を売上登録する処理は、指定受付手段によって指定を受け付けた商品を売上登録する売上登録手段を構成する。
【００３４】
ステップＳ２０８の処理の後、ＣＰＵ２０は、カウンタＢの値を１つカウントダウンする（ステップＳ２０９：カウントダウン手段）。このとき、ＣＰＵ２０は、カウントエリア１０２に表示された数値をカウントダウンされた後のカウンタＢの値に更新する。しかる後、ＣＰＵ２０は、カウンタＢの値が零未満になったか否かを判定する（ステップＳ２１０）。カウンタＢの値が零未満、すなわち負数になった場合（ステップＳ２１０のＹｅｓ）、ＣＰＵ２０は、その旨を警告するメッセージを店員用表示器１０の表示画面に表示する（ステップＳ２１１：負数警告手段）。このメッセージは、例えばポップアップにて表示し、キーボード１２やタッチパネル３２を介して所定の操作がなされたときに消去する。このように警告メッセージを表示した後、あるいはステップＳ２１０の処理にてカウンタＢの値が零未満でないと判定された場合（ステップＳ２１０のＮｏ）、ＣＰＵ２０は、ステップＳ２０６の処理に戻って再び選択エリア１０１のタッチ操作による具材の指定、および終了ボタン１０３のタッチ操作を待ち受ける。
【００３５】
やがて容器５に入れられた全てのおでんの具材を売上登録し終えると、店員は、終了ボタン１０３をタッチ操作する。このときＣＰＵ２０は、終了ボタン１０３がタッチ操作されたと判定し（ステップＳ２０７の「終了」）、選択画面１００を消去してステップＳ２０１の処理に戻る。
【００３６】
さて、顧客が購入しようとする全ての商品について商品データを入力し終えると、店員は、締めキー１２ａをタッチ操作する。このときＣＰＵ２０は、締めキー１２ａが操作されたと判定し（ステップＳ２０２の「締めキー操作」）、カウンタＢの値が零であるか否かを判定する（ステップＳ２１２）。カウンタＢの値が零である場合には（ステップＳ２１２のＹｅｓ）、選択画面１００を介して売上登録されたおでんの具材の数量と、カウント処理にてカウントされたおでんの具材の数量とが一致していることになる。この場合、ＣＰＵ２０は、カウント値ファイル２２ａから最も小さいナンバが付されたエリアに記述されたカウント値を消去し、これにより空いたエリアを埋めるように他のエリアに記述されたカウント値をそのままの順序で一つ小さいナンバが付されたエリアにずらして記述する（ステップＳ２１３）。このようにしてカウント値ファイル２２ａを更新した後、ＣＰＵ２０は、売上登録処理を終了し、商品データ登録エリア２２ｂに登録された商品データに基づいて当該会計の締め処理を行う。締め処理において、ＣＰＵ２０は、例えば当該会計の合計金額を算出するとともに顧客からの預り金額の入力を受け付けて釣銭額を算出し、当該会計に係る商品の明細情報に前記合計金額，預り金額および釣銭額を付加してなるレシートをレシートプリンタ３４に印字させるなどの処理を行う。
【００３７】
一方、ステップＳ２１２の処理においてカウンタＢの値が零でない場合には（ステップＳ２１２のＮｏ）、選択画面１００を介して売上登録されたおでんの具材の数量と、カウント処理にてカウントされたおでんの具材の数量とが一致していないことになる。この場合、ＣＰＵ２０は、その旨を警告するメッセージを店員用表示器１０の表示画面に表示する（ステップＳ２１４：警告手段）。警告メッセージを表示した後、ＣＰＵ２０は、確認処理を実行する。
【００３８】
［確認処理］  
前記確認処理について説明する。この処理は、ＣＰＵ２０がＲＯＭ２１に記憶された動作プログラムを実行することで実現される。  
図７は、確認処理にてＣＰＵ２０が実行する処理のフローチャートである。先ずＣＰＵ２０は、ＲＡＭ２２に変数Ｃ（整数）を生成し、この変数ＣにカウンタＢの値をセットする（ステップＳ３０１）。さらに、ＣＰＵ２０は、カウンタＢの値をステップＳ２０４の処理にてカウント値ファイル２２ａから読み出した当初の値にリセットする（ステップＳ３０２）。しかる後、ＣＰＵ２０は、店員用表示器１０に具材の再指定を受け付けるための確認画面２００を表示する（ステップＳ３０３）。図８に確認画面２００の一例を示している。この確認画面２００は、おでんの具材である商品Ｇ１〜Ｇ１８の選択ボタンを表した選択エリア２０１と、例えば「３」のようにカウンタＢの値を表すためのカウントエリア２０２と、確認処理を中止させるための中止ボタン２０３と、具材の再指定の終了を宣言するための決定ボタン２０４（指定終了宣言手段）とを有している。選択エリア２０１に表示された各選択ボタン、中止ボタン２０３および決定ボタン２０４は、タッチパネル３２を介してタッチ操作されるＧＵＩ部品である。このような確認画面２００を表示した状態で、ＣＰＵ２０は、選択エリア２０１のタッチ操作による具材の再指定、中止ボタン２０３および決定ボタン２０４のタッチ操作を受け付ける（ステップＳ３０４）。  
なお、ＣＰＵ２０がステップＳ３０３，Ｓ３０４の処理において実行する処理は、店員用表示器１０にカウンタＢの値を再表示するとともに、容器５に入れられた商品の再指定を受け付ける再指定受付手段を構成する。
【００３９】
店員が選択エリア２０１に配列された選択ボタン、中止ボタン２０３または決定ボタン２０４をタッチ操作すると、入力コントローラ２７からＣＰＵ２０にタッチ位置座標が通知される。この通知を受けたとき、ＣＰＵ２０は、選択エリア２０１、中止ボタン２０３または決定ボタン２０４がタッチ操作されたと判定し（ステップＳ３０４のＹｅｓ）、通知されたタッチ位置座標に基づいて当該操作の内容を判定する（ステップＳ３０５）。
【００４０】
確認画面２００が表示された当初において、店員は、顧客がレジに運んだ容器５に入れられた具材に対応する選択ボタンをタッチ操作していく。このように操作内容が選択エリア２０１に配列された選択ボタンのタッチ操作による具材の指定である場合（ステップＳ３０５の「具材の指定」）、ＣＰＵ２０は、カウンタＢの値を１つカウントダウンする（ステップＳ３０６：再カウントダウン手段）。このとき、ＣＰＵ２０は、カウントエリア２０２に表示された数値をカウントダウンされた後のカウンタＢの値に更新する。しかる後、ＣＰＵ２０は、ステップＳ３０４の処理に戻って再び選択エリア２０１に配列された選択ボタン、中止ボタン２０３または決定ボタン２０４へのタッチ操作を待ち受ける。
【００４１】
やがて容器５に入れられた全てのおでんの具材を指定し終えると、店員は、決定ボタン２０４をタッチ操作する。このように操作内容が決定ボタン２０４のタッチ操作である場合（ステップＳ３０５の「決定」）、ＣＰＵ２０は、カウンタＢの値が変数Ｃの値と一致しているか否かを判定する（ステップＳ３０７）。このときカウンタＢの値と変数Ｃの値とが一致しているならば（ステップＳ３０７のＹｅｓ）、ＣＰＵ２０は、確認処理および売上登録処理を終了して前記締め処理を実行する。  
なお、ＣＰＵ２０がステップＳ３０７の処理を経て売上登録を終了する処理、およびステップＳ２１２の処理を経て売上登録を終了する処理は、登録終了手段を構成する。
【００４２】
一方、カウンタＢの値と変数Ｃの値とが一致していないならば（ステップＳ３０７のＮｏ）、ＣＰＵ２０は、商品データ登録エリア２２ｂに登録されたおでんの具材の商品データを削除する（ステップＳ３０８）。さらに、ＣＰＵ２０は、おでんの具材の商品データを削除した旨の警告メッセージを店員用表示器１０に表示した後（ステップＳ３０９）、確認画面２００を消去して売上登録処理のステップＳ２０１の処理に戻る。この場合、店員は、再度おでんキーをタッチ操作して選択画面１００を店員用表示器１０に表示させ、容器５に入れられたおでんの具材を指定して売上登録することになる。
【００４３】
［作用］  
以上説明したように、本実施形態における商品販売データ処理装置１は、計量器３の計量結果に基づいて計量器３の載置面に乗せられた容器５におでんの具材が入れられる回数をカウントし、そのカウント結果である回数を当該容器５に入れられた商品の会計時において店員用表示器１０に表示する。このようにすることで、商品販売データ処理装置１を操作する店員は、容器５に入れられたおでんの具材の数を正確に把握できるようになる。
【００４４】
また、容器５に入れられたおでんの具材が売上登録される毎に店員用表示器１０に表示されたカウント結果である回数をカウントダウンする。したがって店員は、容器５に入れられた具材を売上登録する際に残りの具材数を把握することができるので、具材の見落としや重複登録が防止される。
【００４５】
また、店員が締めキーを操作して売上登録の完了を宣言したとき、カウンタＢの値が零である場合に限って締め処理が実行され、零でない場合には確認処理が実行される。この確認処理では店員に再度容器に５に入れられたおでんの具材を選択させるので、具材の見落としや重複登録を防止する効果がより確実なものとなる。
【００４６】
また、カウンタＢの値が負数になった時点でその旨が店員に警告される。したがって、店員が重複しておでんの具材を売上登録した場合には、確認処理に移行するまでもなく店員に重複登録を認識させることができる。このとき店員は、誤って登録した具材の商品データを商品データ登録エリア２２ｂから周知の方法で削除するなどして対処すればよい。
【００４７】
このように本実施形態における商品販売データ処理装置１は、おでんの会計に関する各種の機能を備えている。これらの機能を用いることで、店員が顧客の指示にしたがっておでんの具材を容器５に入れたり、顧客が容器に具材を入れる様子を確認したりするまでもなく、正確におでんの会計を行うことができる。したがって店員の業務負担が大幅に軽減され、おでんの販売業務が円滑化される。
【００４８】
［変形例］  
なお、本発明は、前記実施形態そのままに限定されるものではなく、実施段階ではその要旨を逸脱しない範囲で構成要素を変形して具体化できる。
【００４９】
例えば前記実施形態では、商品販売データ処理装置１にておでんを販売する場合を例示した。しかしながら、おでん以外の商品を販売する場合であっても前記実施形態に開示した構成を適用することができる。例えば複数の惣菜を詰められるように区分けされた容器に顧客が所望の惣菜を詰めてレジに運び、店員が前記容器に詰められた惣菜を売上登録するような運用が採られる店舗で使用される商品販売データ処理装置に前記実施形態に開示した構成を適用することができる。
【００５０】
また、前記実施形態では、商品販売データ処理装置１に計量器３が接続されているとして説明した。しかしながら、商品販売データ処理装置に計量器３を一体として取り付けてもよい。
【００５１】
また、前記実施形態では、売上登録処理においてカウンタＢの値が負数になった際の警告や、締めキー１２ａが操作された際にカウンタＢの値が零でなかった場合の警告などを、店員用表示器１０へのメッセージ表示にて行うとして説明した。しかしながら、これらの警告は、商品販売データ処理装置１に設けられたスピーカなど他のデバイスを用いて行うようにしてもよい。
【００５２】
この他、前記実施形態に開示されている複数の構成要素の適宜な組み合わせにより、種々の発明を形成できる。例えば、前記実施形態に示される全構成要素から幾つかの構成要素を削除してもよい。さらに、異なる実施形態にわたる構成要素を適宜組み合わせてもよい。
【符号の説明】
【００５３】
１…商品販売データ処理装置、２…バーコードスキャナ、３…計量器、３ａ…載置面、４…什器、５…容器、１０…店員用表示器、１１…客用表示器、１２…キーボード、１３…スライド溝、１４…レシート発行口、２０…ＣＰＵ、２２ａ…カウント値ファイル、２２ｂ…商品データ登録エリア、２５…入力ポート、１００…選択画面、２００…確認画面
【先行技術文献】
【特許文献】
【００５４】
【特許文献１】特開２００１−３３８３４５号公報
【図１】
2011186687.tif 000003
【図２】
2011186687.tif 000004
【図３】
2011186687.tif 000005
【図４】
2011186687.tif 000006
【図５】
2011186687.tif 000007
【図６】
2011186687.tif 000008
【図７】
2011186687.tif 000009
【図８】
2011186687.tif 000010